(57)【要約】  本発明は、ユーザの頭と接触して信号を検出するためのバイオセンサを備えた眼鏡に関する。該眼鏡は、対応するレンズ（４）を支持する前部フレーム（２）と、フレームに設けられた鼻用支持装置（８）と、を備え、鼻用支持装置は、非導電性材料から作製され且つフレーム（２）に取り外し可能に接続することができるマウント（９）を備え、マウント上には、互いに対向する第１の鼻用支持要素（１０）および第２の鼻用支持要素（１１）が設けられ、第１の鼻用支持要素（１０）および第２の鼻用支持要素（１１）には、導電性材料から形成され且つ対応する鼻の左右両側の領域と表面接触することができる第１の鼻用センサ（１０ａ）および第２の鼻用センサ（１１ａ）がそれぞれ組み込まれる。第１の鼻用支持要素および第２の鼻用支持要素の各々は、導電性材料から形成された支持体（１３）にそれぞれ取り付けられ、支持体（１３）は、導電性材料から形成され且つ支持体（１３）と電気的に接触することができるねじ式要素（１３ａ）によってマウント（９）にそれぞれ接続され、ねじ式要素（１３ａ）の各々は、対応するセンサ（１０ａ，１１ａ）によって検出された電気信号を伝達するためにフレーム（２）内に設けられた電気回路（１９）と電気的に接触することができ、回路（１９）は、フレーム（２）とマウント（９）との間に介在し、これにより、対応するセンサと電気回路との間で電気的接触を閉じることができるねじ式要素（１３ａ）を介して、電気信号がセンサ（１０ａ，１１ａ）から電気回路（１９）にそれぞれ伝達される。【選択図】図１
2021503629.tif 000002
【特許請求の範囲】
【請求項１】
ユーザの頭と接触して信号を検出するためのバイオセンサを備えた眼鏡であって、
対応するレンズ（４）を支持する前部フレーム（２）と、前記フレームに設けられた鼻用支持装置（８）と、を備え、
前記鼻用支持装置は、非導電性材料から作製され且つ前記フレーム（２）に取り外し可能に接続することができるマウント（９）を備え、
前記マウント上には、互いに対向する第１の鼻用支持要素（１０）および第２の鼻用支持要素（１１）が設けられ、前記第１の鼻用支持要素（１０）および前記第２の鼻用支持要素（１１）には、導電性材料から形成され且つ対応する鼻の左右両側の領域と表面接触することができる第１の鼻用センサ（１０ａ）および第２の鼻用センサ（１１ａ）がそれぞれ組み込まれ、
前記第１の鼻用支持要素（１０）および前記第２の鼻用支持要素（１１）の各々は、導電性材料から形成された支持体（１３）にそれぞれ取り付けられ、前記支持体（１３）は、導電性材料から形成され且つ前記支持体（１３）と電気的に接触することができるねじ式要素（１３ａ）によって前記マウント（９）にそれぞれ接続され、
前記ねじ式要素（１３ａ）の各々は、対応する前記センサ（１０ａ，１１ａ）によって検出された電気信号を伝達するために前記フレーム（２）内に設けられた電気回路（１９）と電気的に接触することができ、前記回路（１９）は、前記フレーム（２）と前記マウント（９）との間に介在し、これにより、対応する前記センサと前記電気回路との間で電気的接触を閉じることができる前記ねじ式要素（１３ａ）を介して、電気信号が前記センサ（１０ａ，１１ａ）から前記電気回路（１９）にそれぞれ伝達されることを特徴とする、
眼鏡。
【請求項２】
前記支持体（１３）の各々は、その端部（１５）の領域において、前記マウント（９）に形成された凹部（１７）に係合するための第１の貫通孔（１６）を有し、前記凹部（１７）において、前記マウントの第２の貫通孔（１８）が横方向に交差し、対応する前記ねじ式要素（１３ａ）は、前記第１の孔（１６）および前記第２の孔（１８）に係合することができ、前記第１の孔（１６）および前記第２の孔（１８）は、前記支持体（１３）が前記マウント（９）に接続され且つ前記ねじ式要素（１３ａ）が前記回路（１９）と電気的に接触して前記支持部（１５）が前記凹部（１７）内で係合したときに、互いに同軸となるように配置される、
請求項１に記載の眼鏡。
【請求項３】
前記ねじ式要素（１３ａ）の各々と、対応する前記支持体（１３）との間の電気的接触は、前記第１の孔（１６）の内面と、前記第１の孔に係合する前記ねじ式要素（１３ａ）の外面との間で行われる、
請求項１または２に記載の眼鏡。
【請求項４】
前記第１の鼻用支持要素（１０）および前記第２の鼻用支持要素（１１）は、導電性ゴムまたはプラスチック材料から形成される、
請求項１〜３のいずれか１項に記載の眼鏡。
【請求項５】
前記支持体（１３）は、前記第１の鼻用支持要素（１０）および前記第２の鼻用支持要素（１１）にそれぞれ形成された管状凹部（１４）に受容される、
請求項１〜４のいずれか１項に記載の眼鏡。
【請求項６】
前記鼻用支持要素（１０，１１）は、導電性の硬質プラスチック材料から形成され、前記支持体（１３）は、柔軟な金属材料から形成され、前記支持体の変形によって、前記支持要素の位置を記録することができる、
請求項１〜５のいずれか１項に記載の眼鏡。
【請求項７】
前記マウント（９）の中央に取り付けられた第３のセンサ（１２）を備え、
前記第３のセンサ（１２）は、導電性材料から形成され、前記第１のセンサ（１０ａ）および前記第２のセンサ（１１ａ）から間隔をおいて配置され、鼻の付け根の領域において顔と表面接触する、
請求項１〜６のいずれか１項に記載の眼鏡。
【請求項８】
前記第３のセンサ（１２）は、導電性材料から形成された第３の支持体（２０）上に設けられ、前記第３の支持体（２０）は、導電性材料から形成された第３のねじ式要素（２１；３８）によって前記マウント（９）にそれぞれ接続され、前記第３のねじ式要素（２１；３８）は、前記第３の支持体と電気的に接触することができ、さらに、前記第３のねじ式要素（２１；３８）は、前記センサによって検出された電気信号を伝達するために前記フレームに設けられた前記電気回路（１９）とも電気的に接触することができ、これにより、対応する前記第３のセンサ（１２）と前記電気回路（１９）との間の電気的接触を閉じることができる前記第３のねじ式要素（２１；３８）によって、前記電気信号が前記第３のセンサ（１２）から前記電気回路（１９）にそれぞれ伝達される、
請求項７に記載の眼鏡。
【請求項９】
前記第３のセンサ（１２）の支持体（２０）と前記マウント（９）は、導電性材料から形成された前記第３のねじ式要素（２１；３８）にそれぞれ係合するために同軸となるように配置される少なくとも第３の貫通孔（２２；３５）と第４の貫通孔（２３）とをそれぞれ有する、
請求項８に記載の眼鏡。
【請求項１０】
前記第３の支持体（２０）は、前記第３のセンサ（１２）の左右両側の端部に接続された少なくとも１対の延長片（３４）を備え、前記延長片（３４）は、柔軟な導電性金属材料から形成され、前記延長片（３４）の各端部は、前記第３の孔（３５）を有し、前記マウント（９）に形成された座部にそれぞれ少なくとも部分的に係合することができ、これにより、対応する前記ねじ式要素（２１；３８）が、同軸となるように配置された前記第３の孔および前記第４の孔に係合し、前記延長片（３４）の変形によって、前記第３のセンサ（１２）の位置を限定的な範囲で記録することができる、
請求項９に記載の眼鏡。
【請求項１１】
前記延長片（３４）の各々と、対応する前記ねじ式要素（２１；３８）との間の電気的接触は、前記第３の孔の内周面と前記第３の孔に係合する前記ねじ式要素の外面との間で行われる、
請求項１０に記載の眼鏡。
【請求項１２】
前記第３のセンサ（１２）は、前記マウント（９）の一部の上に導電性ゴムをオーバーモールドすることで形成され、前記電気回路（１９）と電気的に接触することができる、
請求項７に記載の眼鏡。
【請求項１３】
前記マウント（９）は、１対の接続アーム（４０）によって互いに接続されたマウント上部（９’）とマウント下部（９”）とを有し、前記上部は、前記マウントを前記フレームにねじ接続するための孔（９ａ）を有し、前記下部は、前記第１の鼻用センサおよび前記第２の鼻用センサが組み込まれた前記鼻用支持要素（１０，１１）の接続のための貫通孔を有し、前記第３のセンサ（１２）は、その左右両側の端部が前記アーム（４０）を囲むようにおよび前記フレームと前記マウントとの間に介在する前記電気回路（１９）との電気的接触を確実にするように、前記マウント上に射出成形される、
請求項１２に記載の眼鏡。
【請求項１４】
前記電気回路（１９）は、フレキシブルプリント基板として構成される、
請求項１〜１３のいずれか１項に記載の眼鏡。
【発明の詳細な説明】
【技術分野】
【０００１】
本発明は、主請求項１の前文に記載された特徴を有するバイオセンサを備えた眼鏡に関する。
【背景技術】
【０００２】
本発明は、前部フレームおよび／または側方アームにバイオセンサが組み込まれた眼鏡に関する特定の技術分野からの発明である。「バイオセンサ」という用語は、センサがユーザの頭の特定の表面領域と局所的に接触することで、例えば脳の機能のような生体機能に相関する電気信号を検出することができるセンサを意味する。
【０００３】
このようなセンサを眼鏡のフレームに使用することで、例えば脳波の変化（脳電図）、目の位置の変化（眼電図）、目の周りの筋肉の収縮（筋電図）および心機能の変化（心電図）を検出して、いくつかの生体機能の状態を監視することができる。
【０００４】
ユーザの頭に局所的に接触するフレームに適切に組み込まれたセンサを介して容易に取得することができるこれらの機能の状態を知ることで、個人の精神的／身体的な状態の制御および監視に有利に介入して、その個人の健康および安全を脅かす状況を適宜修正またはいずれにしても通知することができる。例えば、仕事、スポーツまたはレクリエーション活動中に発生する可能性があるストレスやより一般的には疲労の状態を監視することが考慮される。
【０００５】
バイオセンサを備えた眼鏡の一例が、本出願人によるイタリア国特許出願第１０２０１６０００１２５４７１号に記載されている。
【０００６】
上記特許出願に記載されている技術的解決策において、導電性ゴムから形成され、且つ特に鼻の上での支持領域およびその上方の鼻の付け根の領域で、顔面と表面接触するように設けられたセンサが、検出された電気信号をフレーム内に設けられた電気回路に伝達する。
【０００７】
これに関連して、上述したすべてのセンサは、それぞれの電気信号を、フレキシブルタイプのプリント回路として形成され且つ当該技術分野において「フレキシブルＰＣＢ」（フレキシブルプリント回路）という用語でも知られる電気回路に直接伝達するように設けられる。
【０００８】
鼻の上での支持のための中央ブリッジの領域における局所的な回路の部分は、センサを把持し且つ前部フレームに取り外し可能に接続された中央マウントの下方の位置に配置される。このように、回路は、センサと前部フレームとの間に介在する。
【０００９】
回路は、信号の適切な取得を確実にするために、鼻の付け根の上部領域から鼻用支持プレートの下部領域までの広範囲にわたって延在する必要がある。
【発明の概要】
【発明が解決しようとする課題】
【００１０】
本発明の主な目的は、バイオセンサを備えた眼鏡を提供することである。これらの眼鏡は、特にフレームの中央の鼻用支持部に設けられたセンサが取得した信号を、フレームに設けられた電気回路に伝達する際に生じる問題に関連した既知の技術的解決策を改善するように、構造的および機能的に構成される。これにより、関連する構成要素においてより簡素化された構造を得ることができ、同時に、適切な信頼性および優れた効率を確保することができる。
【課題を解決するための手段】
【００１１】
上述した目的および以下に記載するその他の目的は、添付の特許請求の範囲に従って構築されたバイオセンサを備えた眼鏡から構成される本発明によって達成される。
【図面の簡単な説明】
【００１２】
本発明の特徴および利点は、添付の図面を参照して非限定的に例示するいくつかの好適な実施形態に関する以下の詳細な説明からより明確になるであろう。
【図１】本発明による眼鏡の一例の斜視図である。
【図２】図１の眼鏡の詳細部を拡大して示す分解斜視図である。
【図３】接続されていない状態の、図２の詳細部の１対の構成要素の側面図である。
【図４】接続された状態の、図３の詳細部の構成要素の側面図である。
【図５】組み立てられた状態の、図２の詳細部を拡大して示す部分断面側面図である。
【図６】本発明の眼鏡のフレームに接続することができるプリント電気回路の模式図である。
【図７】図１の眼鏡の詳細部の別の部分斜視図である。
【図８】図７に対応し、図示された詳細部の変形例を示す図である。
【図９】接続されていない状態の、図８の眼鏡の詳細部の斜視図である。
【図９Ａ】図９の詳細部の側面図である。
【図１０】図７に対応し、図示された詳細部の別の変形例に関連する図である。
【図１１】接続されていない状態の、図１０の変形例の詳細部の斜視図である。
【図１２】図１１の詳細部の側面図である。
【図１３】組み立てられた状態の、図１１の詳細部の別の変形例の斜視図である。
【図１４】図１３の詳細部の分解斜視図である。
【図１５】図１４の詳細部を拡大して示す部分斜視図である。
【図１６】図７に対応し、図示された詳細部の別の変形例に関連する図である。
【図１７】図１６の詳細部の側面図である。
【図１８】図１６に対応し、図示された詳細部の別の変形例に関連する図である。
【図１９】図１８の詳細部の構成要素の斜視図である。
【図２０】図１８の詳細部の部分側面図である。
【発明を実施するための形態】
【００１３】
まず、図１〜図９を参照すると、参照符号１は、本発明に従って構築されたバイオセンサを備えた眼鏡の第１の実施形態を全体として示す。
【００１４】
眼鏡は、対応するレンズ４をそれぞれ支持する１対のリム３を有する前部フレーム２を備える。リム３は、鼻の領域において延在するブリッジ５によって、中央で互いに接続される。参照符号６は、眼鏡の両側の側方アームを示す。側方アーム６は、フレーム２の左右両側にそれぞれ設けられた突起部７にヒンジ方式で連結される。
【００１５】
眼鏡には、鼻の上での支持に適したフレームの中央領域に位置するバイオセンサが設けられる。また、眼鏡には、側方アームが支持されるユーザの頭の耳の後ろの領域において、センサがさらに設けられ得る。ただし、本発明は、バイオセンサを側方アームに提供することに関するものではない。
【００１６】
本明細書における「バイオセンサ」という用語は、例えば脳波、心拍または他の生体パラメータを含む個人の生体機能に相関する電気信号を検出するように構成されたセンサを示すことに留意されたい。
【００１７】
したがって、上述したセンサは、皮膚と接触する電極として機能的に構成される。これにより、フレーム内に設けられた電気信号の伝導システムを介して、電気信号が検出され、検出された信号を処理するのに適した回路複合体を含む電子モジュールにその信号が伝達される。
【００１８】
以下に明示的に記載されていないまたは表現されていない詳細または特定の特徴については、本出願人による先行技術であるイタリア国特許出願第１０２０１６０００１２５４７１号の全内容が、参照により本明細書に組み込まれることを留意されたい。
【００１９】
眼鏡には、マウント９を含む鼻用支持装置８が設けられる。マウント９は、前部フレーム２とは構造的に独立しており、フレーム自体に取り外し可能に接続することができる。
【００２０】
マウント９には、互いに対向する第１および第２の鼻用支持要素１０，１１が設けられる。第１および第２の鼻用支持要素１０，１１の各々には、鼻の対応する左右両側の領域と表面接触することができる第１の鼻用センサ１０ａおよび第２の鼻用センサ１１ａがそれぞれ組み込まれる。
【００２１】
参照符号１２によって示される第３のセンサが、センサ１０ａ，１１ａの上方でセンサから間隔をおいた位置でマウント９の中央部に設けられる。これにより、第３のセンサは、眼鏡が着用された状態において、鼻の付け根の領域で頭の「眉間」の少し下方で顔と表面接触することができる。
【００２２】
センサ１０ａ，１１ａおよび１２は、例えば導電特性を有するエラストマ材料やゴムのような弾力性のある柔軟な導電性材料から有利に形成される。これにより、支持体との接触において快適さと適用性を確保できる一方で、電極の機能を実行してセンサによる信号をそれぞれ検出することができる。
【００２３】
プレート状構成を有するマウント９は、非導電性材料から作製され、締め付けねじ９ｂに係合するための貫通孔９ａを有する。締め付けねじ９ｂは、前部フレーム２の内側、すなわち眼鏡が着用された状態で顔の方に向けられた側で、マウントを前部フレーム２に締め付ける。
【００２４】
フレーム２には、ブリッジ５の領域およびブリッジの下方で延在するリム部３の一部にわたって凹部２ａが設けられる。図１に示すように、凹部２ａは、対応する取り付け領域の表面の窪みとして形成され、マウント９と結合してマウント９を受容するような形状を有する。マウントは、孔９ａを貫通する締め付けねじ９ｂによってフレーム内で固定される。
【００２５】
各鼻用支持要素１０，１１は、導電性材料から形成され且つねじ式要素１３ａによってマウントに接続される支持体１３上にそれぞれ取り付けられる。
【００２６】
支持体１３は、図１において軸線Ｘおよび軸線Ｙによって示される中央平面に関して鏡面対称の構造を有するため、以下では、支持体１３の一方のみを詳細に説明する。
【００２７】
各支持体１３は、導電性を有し且つ対応する鼻用支持要素１０，１１の内部でその長さにわたって大部分が囲まれる棒状のコアの形態で作製される。
【００２８】
図に明らかに示すように、対応するセンサが組み込まれた鼻用支持要素１０，１１の各々は、鼻の両側で快適な支持を提供する「鼻用プレート」として形成され、対応する棒状支持体１３を受容して相対的に固定するための管状凹部１４をそれぞれ有する。棒状支持体１３は、対応する管状凹部１４から突出する端部１５の領域において、貫通孔１６を有する。端部１５は、マウント９に形成された凹部１７と実質的に形状一致で接続して係合するように形成される。各凹部１７において、プレート状マウント９の厚さ方向を貫通する貫通孔１８が横方向に交差する。各孔１８の内側には、対応するねじ式要素１３ａと螺合するように、ねじ山が設けられる。
【００２９】
各ねじ式要素１３ａは、孔１６および１８にそれぞれ係合することができる。孔１６および１８は、支持体１３がマウント９に接続されて支持部１５が凹部１８内で係合されたときに、互いに対して同軸となるように配置される。
【００３０】
この接続に続いて、ねじ式要素１３ａは、ねじ頭の反対側の自由端によって、電気信号を伝達するためにフレーム内に設けられた電気回路１９と電気的に接触することができる。
【００３１】
有利には、電気回路１９は、当該技術分野で「フレキシブルＰＣＢ」という用語でも知られるフレキシブルプリント基板として作製される。
【００３２】
回路１９は、前部フレーム２の内側（眉毛アーチの領域の上で延在するレンズ把持リム３の上部に関する部分）に部分的に受容され、アームと突起部との間のヒンジ領域の内側に部分的に受容され、一方または両方の側方アームに設けられたハウジング（図示せず）の内側の位置まで延在する。
【００３３】
フレームで回路１９を受容するために、フレームの内側には、リム３および突起部７にそれぞれ形成された座部が設けられる。任意選択で、座部は、フレーム部にわたって延在する回路１９を視界から隠すように、閉鎖差込部にそれぞれ接続される。
【００３４】
図６は、左右両側の端部（アーム６と関連する）から延在する回路１９の一例の、平面的な範囲における部分模式図である。回路１９は、ねじ１３ａと電気的に接触する領域が集中する中央ブリッジ５に領域までレンズ把持リム３内で延在する。
【００３５】
電気回路１９が前部フレーム２とマウント９との間に介在するため、電気信号は、ねじ式要素１３ａのみを介してセンサ１０ａ，１１ａから回路１９にそれぞれ伝達される。これにより、対応するセンサと電気回路との間の電気的接触を閉じることができる。
【００３６】
有利には、各ねじ式要素１３ａと対応する支持体１３との間の電気的接触は、孔１６の内周面と孔１６に係合するねじ１３のシャンクの外面との間で行われる。上述した構成によって、特に回路との電気的接触を閉じるねじ１３ａに対する固定が行われるプレートの領域だけで十分であるため、（鼻用プレートを介して伝達された電気信号を受信するのに適した）フレキシブルＰＣＢ回路を覆う必要がある前部フレームの範囲を削減することができる。このようにして、フレキシブルＰＣＢ回路に必要な表面範囲を減少させて、簡素化された構造を得ることができる。
【００３７】
第３のセンサ１２（「眉間用センサ」とも呼ぶ）は、（眼鏡が着用された状態で顔に向けて突出する）マウント９から間隔をおいた位置にある鼻用支持要素１０，１１の上でブリッジ状に延在する。これにより、鼻の付け根の領域との支持体の接触を確実にすることができる。さらに、センサ１２は、その反対側の端部１２ａ，１２ｂにおいて支持体２０にそれぞれ固定されるように結合される。また、支持体２０は、マウント９に取り外し可能に接続される。
【００３８】
導電性材料から作製された支持体２０は、導電性材料から作製され且つ電気回路１９と電気的に接触することができるねじ式要素２１によって、マウント９に取り外し可能に接続される。
【００３９】
より詳細には、支持体２０およびマウント９は、相対的に同軸となるように配置され得る貫通孔２２，２３をそれぞれ有する。これにより、ねじ式要素２１は、孔２２，２３に係合して、支持体２０をマウント９にロックすることができ、同時に、センサ１２と電気回路１９との間の電気的接触を確実にすることができる。支持体２０をマウント９にロックするために、マウントの孔２３の内側には、ねじ式要素２１のねじ付きシャンクと螺合してねじ付きシャンクを受容するように、ねじ山が設けられる。
【００４０】
この場合も電気回路が前部フレーム２とマウント９との間に介在するため、ねじ式要素２１のみを介して、センサ１２によって電気信号が回路１９にそれぞれ伝達される。これにより、対応するセンサと電気回路との間の電気的接触を閉じることができる。ねじ２１と支持体２０との間の電気的接触は、孔２２の内周面とそれを貫通するねじのねじ付きシャンクとの表面接触によって生じる。
【００４１】
図７は、センサ１０ａ，１１ａおよび１２の信号を受信するためのフレキシブルＰＣＢ回路１９を有するカバーが配置された前部フレームの領域を、円（矢印Ａで示す）で囲んで模式的に示している。（センサ１０ａ，１１ａのための）１対のねじ１３ａと（センサ１２のための）ねじ２１とを互いに近接して配置することを可能にする簡素化された構造によって、その面積が大幅に減少され、結果として、フレキシブルＰＣＢ回路の範囲が減少される。
【００４２】
図６を再び参照すると、フレキシブルＰＣＢ回路１９において、鼻用支持装置のセンサ１０ａ，１１ａおよび１２の電気的接続のための中央領域３１が画定される。そこから２つの導電線３２および３３が両側からそれぞれ延在する。線３２は、一方の側方アームに沿って配置され（例えば、アームに受容される電力を供給するバッテリに向けられ）、線３３は、他方のアームに沿って配置される（例えば、アームに受容される電子モジュールに向けられる）。
【００４３】
中央領域３１は、マウント９を受容するフレームの凹部２ａとマウント９自体との間に介在する回路の一部である。電気的接触を確実にするために、導電性材料（例えば金）で覆われたそれぞれの領域が、１対のねじ１３ａと、ねじ２１とそれぞれ直接接触するように設けられてもよい。図７に部分的にのみ示す導電性トラックは、有利には互いに絶縁処理されている電気信号を伝導するための回路に組み込まれる。
【００４４】
マウント９を作製するために使用することができる材料に関しては、有利には、様々なタイプのプラスチック材料が上記の目的に適している。非限定的な一例として、ポリアミドに基づくプラスチック材料（「Ｇｒｉｌａｍｉｄ（登録商標）ＴＲ９０」として市販される材料を含む）、またはポリプロピレンに基づくプラスチック材料が挙げられる。
【００４５】
また、前部およびアームの構築に関しては、有利には、マウント９の構築に使用可能な上述した材料と同じ材料を含む、様々なタイプのプラスチック材料を使用することができる。
【００４６】
任意選択で、導電性エラストマ材料から形成されたバイオセンサの表面導電率を高めるために、例えば導電性のインクまたは塗料を含む導電性コーティングを使用することもできる。本発明に関するものではないが、アームの一方または両方に設けられたハウジングに関しては、異なる構成を有してもよい。
【００４７】
一実施形態において、一方のアームのハウジングは、電子モジュールを受容し、他方のアームに設けられたハウジングは、電子モジュールおよびセンサに電力を供給するためのバッテリを受容する。好ましくは、バッテリは、充電可能且つ取り外し不可能なタイプのものである。代替的に、取り外し可能なタイプのものであってもよい。また、バッテリは、非充電式のものであってもよく、この場合、バッテリが切れた際に交換できるように、必ず取り外し可能なタイプにする必要がある。
【００４８】
いずれの場合でも、他の構成を有することができる。対応するアームの一方または他方のハウジングが、電子モジュールやバッテリに加えてまたはそれらの代わりに、さらにセンサによって検出された信号を制御または送信するのに適した他の装置または構成要素を受容するために提供されてもよい。
【００４９】
図８、図９および図９Ａを参照すると、センサ１２の第１の変形例において、ブリッジ型センサが、マウント９に固定された支持体２０の下方に配置される。その結果、マウント９の孔９ａは、上側孔２３と１対の下側孔１８との間の位置に設けられる。
【００５０】
図１０〜図１２に示すセンサ１２の別の変形例において、センサをマウント９に固定するための１対のねじ２１が提供される。ねじは、電気回路１９に対して２つの異なる接点を形成する。これにより、ねじを介してセンサによって取得された信号を伝達するための全体的な電気的接触面が増加する。
【００５１】
図１３〜図１５を参照すると、前述した実施形態の別の変形例において、センサ１２の左右両側の端部が、導電性の延長片３４にそれぞれ固定されるように接合される。延長片３４は、支持体１３をマウント９に接続するための上述した実施例で説明したのと同じ方法で、マウント９に固定されるように接合される。これに関連して、センサ１２の端部から突出する各延長片３４の一部は、貫通孔３５を有し、マウント９に設けられた止まり座部３６にそれぞれ少なくとも部分的に係合することができる。各凹部３６において、貫通孔３７がそれぞれ横方向に交差する。導電性材料から作製されたねじ３８が、（座部３６内の延長片３４の係合によって）互いに同軸となるように配置された孔３５および３６に係合することができる。ねじ３８は、センサ１２をマウント９に固定するためおよび回路１９との電気的接触を閉じるために提供される。
【００５２】
延長片３４を柔軟な金属材料から作製することで、延長片を所定の方向に（例えばセンサの上方または下方への傾斜を介して）変形させて、センサ１２の位置を記録することができる。
【００５３】
この場合、対応するねじ２１のシャンクの外面と延長片３４内にそれぞれ設けられた孔３５の内面との間で電気的接触も行われる。
【００５４】
また、センサの一端から他端まで延在する単一の延長片３４を有するマウントの上でブリッジ状に延在するセンサ１２を提供することもできる。
【００５５】
図１６および図１７に示す実施形態において、鼻用支持要素１０，１１は、前部フレームのリムからそれぞれ間隔をおいて配置されたセンサプレートとして作製され得る。これに関連して、支持体１３は、糸状構造体（例えば金属ワイヤからなる）を有するように構成され得る。その一端には、鼻用支持体のためのセンサプレートが固定されるように接合される。その端部には、ワイヤ自体とセンサプレートとの間の接続を確実にするのに適した構造体が設けられてもよい。この構造体は、例えば、センサプレートの寸法よりも小さい寸法を有する円盤状またはプレート状の形状を有し、金属から形成され、ワイヤに溶接される。このようにして、有利には、センサプレートは、射出成形プロセス（「インサート成形」としても知られる）、すなわち円盤（または内部プレート）の周囲にプレートを共射出することによって、ワイヤに接続することができる。
【００５６】
同様に、糸状構造体の反対側の端部には、支持体１３を、マウント９に形成された対応する凹部１７に安定して接続するのに適した構造体が設けられてもよい。この接続構造体（図示せず）は、例えば、導電性の金属材料から作製された金属ワイヤの直径よりも大きい幅を有し且つ金属ワイヤ自体の端部に溶接されるプレートから構成され得る。プレートには、マウント９の孔１８と同軸でねじ１３ａが係合することができる（上述した実施例の支持体１５に設けられた貫通孔１６と同様の）貫通孔が設けられる。プレートは、マウント９に形成された凹部１７と実質的に形状一致で接続して係合するように形成される。
【００５７】
この変形例の構成により、鼻用支持体の各センサプレートの位置を記録することができる。さらに、柔軟な材料から形成された支持体１３の変形能によって、着用の際のセンサ１０ａ，１１ａの適応性を確実にすることができる。これにより、導電性ゴムを使用する代わりに、センサプレートを導電性の硬質プラスチック材料から作製することができる。
【００５８】
図１８〜図２０に示す実施形態において、鼻用支持装置のセンサ１２は、非導電性プラスチック材料から形成された支持マウント９の上に射出成形される導電性ゴムから形成された中央ブリッジを有する構造体として作製され得る。
【００５９】
これに関連して、マウント９は、互いに間隔をおいて配置された１対の接続アーム４０によって互いに接続された上部９’と下部９”とを有する。
【００６０】
これらのアーム４０は、ブリッジ状センサ１２の両側の２つの端部１２ａ，１２ｂのための支持構造体を構成する。ブリッジ状センサは、２つの端部１２ａ，１２ｂがアーム４０にそれぞれ相互接続して囲むように、射出成形される。
【００６１】
マウント９には、導電性ゴムまたはプラスチック材料から形成され且つ上述した（例えば図１６に示すような）実施形態の構造を有するように形成された１対の鼻用センサプレート１０ａ，１１ａがさらに取り付けられる。したがって、各鼻用プレートを支持マウントに接続するために、コアまたは導電性の金属延長片が使用される。
【００６２】
さらに、プレートは、電気信号を送信するために使用されるねじによって支持マウントに固定される。
【００６３】
図２０に示すように、フレキシブルＰＣＢタイプの電気回路１９は、（マウントの上に射出成形された）ブリッジ状センサ１２と、センサプレートの延長片３４に接続された導電性ねじ１３ａと電気的に接触する。
【００６４】
有利には、この変形例は、プラスチック材料（非導電性）の上にゴム（導電性）をオーバーモールドすることで得られた場合、中央部／上部（ブリッジ状センサ）の簡素化された構造を組み合わせたものである。ここで、（柔軟な材料から形成された）導電性の延長片および導電性のねじを使用することで、記録可能な鼻用センサプレートを得ることができる場合がある。
【００６５】
したがって、本発明は、上述した解決策に関して記載された利点を提供することで、上述した目的を達成する。
【図１】
2021503629.tif 000003
【図２】
2021503629.tif 000004
【図３】
2021503629.tif 000005
【図４】
2021503629.tif 000006
【図５】
2021503629.tif 000007
【図６】
2021503629.tif 000008
【図７】
2021503629.tif 000009
【図８】
2021503629.tif 000010
【図９】
2021503629.tif 000011
【図９Ａ】
2021503629.tif 000012
【図１０】
2021503629.tif 000013
【図１１】
2021503629.tif 000014
【図１２】
2021503629.tif 000015
【図１３】
2021503629.tif 000016
【図１４】
2021503629.tif 000017
【図１５】
2021503629.tif 000018
【図１６】
2021503629.tif 000019
【図１７】
2021503629.tif 000020
【図１８】
2021503629.tif 000021
【図１９】
2021503629.tif 000022
【図２０】
2021503629.tif 000023
【国際調査報告】
2021503629.tif 000024
2021503629.tif 000025
2021503629.tif 000026